(57)【要約】【課題】  既存のカメラに着脱することができ、ファインダを覗いている一方側の眼鏡のレンズだけでなく、覗いていない他方側の眼鏡のレンズに傷が付くのを防止できるカメラ用装着カバーを提供することを目的とする。【解決手段】  本発明のカメラ用装着カバーＡは、ファインダ５５が設けられたカメラ本体５０の後面部５０ｃに当接され、カメラ本体５０に装着される板部材１と、その板部材１に取り付けられ、カメラ本体５０の上面部５０ｂ、前面部５０ａ及び下面部５０ｄに保持される２本のゴム製のバンド２とを有する。板部材１は柔軟で軽量な材質で作られている。板部材１は、ファインダ５５に対応した位置に配置され凹状に形成された切欠部１ａと、切欠部１ａの左右の位置に形成され、眼鏡５９を掛けたユーザがファインダ５５を覗いた時に眼鏡５９の右側レンズ５９ａ及び左側レンズ５９ｂが当接されるレンズ当接部１ｂとを有する。【選択図】  図１
2007078935.tif 000002
【特許請求の範囲】
【請求項１】
ファインダが設けられたカメラ本体の後面部に当接され、カメラ本体に装着される板部材を有するカメラ用装着カバーであって、
前記板部材は柔軟な材質で作られ、前記ファインダに対応した位置に配置される切欠部と、眼鏡を掛けたユーザが前記ファインダを覗いた時に前記眼鏡の右側レンズ及び左側レンズが当接されるレンズ当接部とを有する、
ことを特徴とするカメラ用装着カバー。
【請求項２】
前記レンズ当接部は、前記眼鏡の右側レンズ及び左側レンズが当接される位置よりも下側に延長して形成されていることを特徴とする請求項１に記載のカメラ用装着カバー。
【請求項３】
前記板部材に取り付けられ、前記カメラ本体の上面部、前面部及び下面部に保持されるバンドを有することを特徴とする請求項１又は２に記載のカメラ用装着カバー。
【請求項４】
前記板部材の裏面には、前記カメラ本体の後面部に剥離可能に接着される接着部を有することを特徴とする請求項１又は２に記載のカメラ用装着カバー。
【請求項５】
前記板部材の表面は、滑りやすい材質で形成され、又は滑りやすい材質の部材で被覆されていることを特徴とする請求項１乃至４のいずれか１つの項に記載のカメラ用装着カバー。
【請求項６】
前記板部材の表面は、滑りにくい材質で形成され、又は滑りにくい材質の部材で被覆されていることを特徴とする請求項１乃至４のいずれか１つの項に記載のカメラ用装着カバー。
【発明の詳細な説明】
【技術分野】
【０００１】
本発明は、使い捨てカメラ、デジタルカメラ、コンパクトカメラ等のカメラに装着されるカメラ用装着カバーに関し、特に、眼鏡を掛けているユーザが、カメラのファインダを覗く際に、眼鏡のレンズに傷が付くのを防止するために用いられるカメラ用装着カバーに関する。
【背景技術】
【０００２】
図６（Ａ）は、カメラ（使い捨てカメラ）を概略的に示す斜視図、（Ｂ）はその背面図である。図６（Ａ）及び（Ｂ）に示すように、カメラは、直方形のカメラ本体５０と、カメラ本体５０の前面部５０ａに設けられたレンズ５１、ファインダ用レンズ５２、フラッシュランプ５３と、カメラ本体５０の上面部５０ｂに設けられたシャッターボタン５４と、カメラ本体５０の後面部５０ｃに設けられたファインダ５５等を有する。
【０００３】
また、使い捨てカメラの場合には、カメラ本体５０の上面部５０ｂにフィルム枚数表示部５６、パイロットランプ５７が設けられ、カメラ本体５０の後面部５０ｃにフィルムを巻き上げるためのノブ５８が設けられている。
【０００４】
上記構成のカメラを使用して撮影するユーザは、まず、カメラ本体５０を両手又は片手で保持した状態で、ファインダ５５に覗き込み、次いで、撮影対象を決めて、ピントを合わせた後にシャッターボタン５４を押すという動作を行う。
【０００５】
しかし、眼鏡５９（図６（Ｂ）の点線で示す）を掛けているユーザの場合、眼鏡５９の右側レンズ５９ａ及び左側レンズ５９ｂがファインダ５５周辺部の後面部５０ｃに擦れて、傷が付くおそれがある。
【０００６】
そこで、例えば、特開２０００−１１９７６号公報には、ファインダ保護カバーに設けられた接眼レンズの周辺にアイカップの凸リブが形成されており、外装カバーが金属製で構成されている光学機器の眼鏡の傷防止機構において、ファインダ接眼部近傍にファインダ接眼部とは独立した樹脂製の凸部で形成する傷防止手段を設けて眼鏡レンズが外装カバーに当接する前に受けられるように構成している技術が開示されている（以下、この技術を従来例という）。
【特許文献１】特開２０００−１１９７６号公報
【発明の開示】
【発明が解決しようとする課題】
【０００７】
従来例では、カメラ本体の後面部にファインダ接眼部とは独立した樹脂製の凸部を形成しなければならないので、既存のカメラに適用することは困難であり、眼鏡を掛けているユーザ専用のカメラを製造しなければならず、製造コストが高くなる。
【０００８】
また、従来例では、ファインダを覗く一方側（右側）のレンズに傷が付くのを防止することができるが、ファインダの設置位置が中央寄りにあるカメラの場合、ファインダを覗いていない他方側（左側）のレンズがカメラ本体の面に擦れて、傷が付くおそれがある。
【０００９】
本発明は、上記課題を解決するためになされたものであり、既存のカメラに着脱することができ、ファインダを覗いている一方側の眼鏡のレンズだけでなく、覗いていない他方側の眼鏡のレンズに傷が付くのを防止できるカメラ用装着カバーを提供することを目的とする。
【課題を解決するための手段】
【００１０】
本発明のカメラ用装着カバーは、ファインダが設けられたカメラ本体の後面部に当接され、カメラ本体に装着される板部材を有するカメラ用装着カバーであって、前記板部材は柔軟な材質で作られ、前記ファインダに対応した位置に配置される切欠部と、眼鏡を掛けたユーザが前記ファインダを覗いた時に前記眼鏡の右側レンズ及び左側レンズが当接されるレンズ当接部とを有することを特徴とするものである。
【００１１】
前記レンズ当接部は、前記眼鏡の右側レンズ及び左側レンズが当接される位置よりも下側に延長して形成されていてもよい。
【００１２】
前記板部材に取り付けられ、前記カメラ本体の上面部、前面部及び下面部に保持されるバンドを有してもよい。
【００１３】
前記板部材の裏面には、前記カメラ本体の後面部に剥離可能に接着される接着部を有してもよい。
【００１４】
前記板部材の表面は、滑りやすい材質で形成され、又は滑りやすい材質の部材で被覆されていてもよい。
【００１５】
前記板部材の表面は、滑りにくい材質で形成され、又は滑りにくい材質の部材で被覆されていてもよい。
【発明の効果】
【００１６】
本発明のカメラ用装着カバーによれば、既存のカメラに着脱することができるので、眼鏡を掛けているユーザ専用のカメラを製造する必要はない。
【００１７】
また、板部材はレンズ当接部を有するので、ファインダを覗いている一方側のレンズだけでなく、覗いていない他方側のレンズに傷が付くのを防止できる。
【発明を実施するための最良の形態】
【００１８】
以下、本発明の実施の形態について図面を参照して説明する。第１及び第２の実施形態例のカメラ用装着カバーは、板部材をバンドによってカメラに装着するものであり、第３及び第４の実施形態例のカメラ用装着カバーは、板部材を接着部によりカメラに装着するものである。
（第１の実施形態例）
図１（Ａ）は本発明の第１の実施形態例に係るカメラ用装着カバーを示す表面図（カメラに装着された状態）、（Ｂ）はその裏面図（カメラに装着されていない状態）、（Ｃ）はその側面図（カメラに装着されていない状態）、（Ｄ）は、その斜視図（カメラに装着されている状態）である。
【００１９】
図１（Ａ）〜（Ｄ）に示すように、本発明の第１の実施形態例に係るカメラ用装着カバーＡは、ファインダ５５が設けられたカメラ本体５０の後面部５０ｃに当接され、カメラ本体５０に装着される板部材１と、その板部材１に取り付けられ、カメラ本体５０の上面部５０ｂ、前面部５０ａ及び下面部５０ｄに保持される２本のゴム製のバンド２とを有する。
【００２０】
板部材１は約２〜３ｍｍ程度の厚さを有し、柔軟で軽量な材質（例えば、ゴム材、スポンジ、厚紙など）で作られている。板部材１は、ファインダ５５に対応した位置に配置され凹状に形成された切欠部１ａと、切欠部１ａの左右の位置に形成され、眼鏡５９を掛けたユーザがファインダ５５を覗いた時に眼鏡５９の右側レンズ５９ａ及び左側レンズ５９ｂが当接されるレンズ当接部１ｂとを有する。
【００２１】
レンズ当接部１ｂは、眼鏡の右側レンズ５９ａ及び左側レンズ５９ｂが当接される位置よりも下側まで延長して形成されている。これは、ユーザがピントを合わせるためにカメラ本体５０の下部を前後に動かす際に、眼鏡５９の左右のレンズ５９ａ、５９ｂに傷が付くのを防止するためである。
【００２２】
レンズ当接部１ｂの右端１ｂ’はノブ５８の近傍まで配置され、レンズ当接部１ｂの左端上部１ｂ''は、カメラ本体５０の左端に沿って配置される。また、レンズ当接部１ｂの下端１ｂ'''は、カメラ本体５０の下端まで達するように形成されている。
【００２３】
また、板部材１の端部には、軽量化のための切欠１ｃが適宜形成されていてもよい。
【００２４】
なお、板部材１の全体的な形状は、レンズ当接部１ｂを備えていればどのような形状をしていてもよく、また、種々のカメラの形状や大きさに合わせて切断してもよい。
【００２５】
板部材１の表面は、種々の文字、模様、色彩等で表示されていてもよい。また、ユーザが板部材１をカメラの後面部５０ｃに正確に取り付けやすいように、「上」「下」「右」「左」等の位置を示す文字を板部材１の表面に表示してもよい。
【００２６】
また、板部材１の表面は滑りやすい材質で形成されているか、又は、透明フィルム等の滑りやすい材質の部材で被覆されていてもよい。この場合には、カバンや衣類のポケットでの出し入れを行いやすくなる。
【００２７】
また逆に、板部材１の表面は滑りにくい材質で形成されているか、又は、スポンジやゴム材等の滑りにくい材質の部材で被覆されていてもよい。この場合には、衣類のポケットに入れても安易に外に落下するのを防止することができる。
【００２８】
２本のバンド２は、それぞれ板部材１の上端と下端とに間隔を隔てて取り付けられており、レンズ５１、ファインダ用レンズ５２、フラッシュランプ５３、シャッタボタン５４、ファインダ５５、フィルム枚数表示部５６、パイロットランプ５７、ノブ５８に被さらないように配置される。各バンド２は、板部材１の色彩などに合わせた色彩をしているのが好ましい。
【００２９】
本発明の第１の実施形態例に係るカメラ用装着カバーＡは、既存のカメラに着脱することができるので、眼鏡５９を掛けているユーザ専用のカメラを製造する必要はない。
【００３０】
また、本発明の第１の実施形態例に係るカメラ用装着カバーＡの板部材１はレンズ当接部１ｂを有するので、ファインダ５５を覗いている右側レンズ５９ａだけでなく、覗いていない左側レンズ５９ｂに傷が付くのを防止できる。
【００３１】
さらに、バンド２によりカメラ５０に装着するので、板部材１の位置合わせを容易かつ正確に行うことができる。
（第２の実施形態例）
図２（Ａ）は本発明の第２の実施形態例に係るカメラ用装着カバーを示す表面図（カメラに装着された状態）、（Ｂ）はその裏面図（カメラに装着されていない状態）、（Ｃ）はその側面図（カメラに装着されていない状態）である。
【００３２】
図２（Ａ）〜（Ｃ）に示すように、本発明の第２の実施形態例に係るカメラ用装着カバーＢでは、レンズ当接部１ｂの下端１ｂ''’が、カメラ本体５０の略中央部まで形成されており、下端まで形成されていない点と、それに伴いバンド２が延長されている点が異なり、その他の構成については、第１の実施形態例のものと同様であるので、その説明は省略する。
【００３３】
本発明の第２の実施形態例に係るカメラ用装着カバーＢによれば、第１の実施形態例のものよりもサイズが小さいので、低コストで製造することができる。
（第３の実施形態例）
図３（Ａ）は本発明の第３の実施形態例に係るカメラ用装着カバー（カメラに装着された状態）を示す表面図、（Ｂ）はその裏面図（カメラに装着されていない状態）である。
【００３４】
図３（Ａ）及び（Ｂ）に示すように、本発明の第３の実施形態例に係るカメラ用装着カバーＣでは、バンド２を有していない点で、第１の実施形態例のものと異なる。また、板部材１の裏面には、図３（Ｂ）に示すように、その周縁部の全部又は一部に、カメラ本体５０の後面部５０ｃに剥離可能に接着される接着部３を有する。この接着部３は剥離可能な程度の接着力を有する接着剤が塗布されたものであり、他のカメラに使用したり、何度も使用したりするために、あまり強力な接着剤は用いられない。また、接着剤の上に紙やセロファン紙を付けて、使用時にそれらを剥がすようにしてもよい。
【００３５】
その他の構成については、第１の実施形態例のものと同様であるので、その説明は省略する。
【００３６】
本発明の第３の実施形態例に係るカメラ用装着カバーＣによれば、バンド２を有していないので、構成が簡単になり、製造コストを低減できる。
（第４の実施形態例）
図４（Ａ）は本発明の第４の実施形態例に係るカメラ用装着カバー（カメラに装着された状態）を示す表面図、（Ｂ）はその裏面図（カメラに装着されていない状態）である。
【００３７】
図４（Ａ）及び（Ｂ）に示すように、本発明の第４の実施形態例に係るカメラ用装着カバーＤでは、レンズ当接部１ｂの下端１ｂ''’が、カメラ本体５０の略中央部まで形成されており、下端まで形成されていない点が異なる。その他の構成については、第３の実施形態例のものと同様であるので、その説明は省略する。
【００３８】
本発明の第４の実施形態例に係るカメラ用装着カバーＤによれば、第３の実施形態例のものよりもサイズが小さいので、低コストで製造することができる。
【００３９】
本発明は、上記実施の形態に限定されることはなく、特許請求の範囲に記載された技術的事項の範囲内において、種々の変更が可能である。
【００４０】
例えば、図５（Ａ）に示すように、本発明の第１の実施形態例（図１参照）及び第３の実施形態例（図３参照）に用いられる板部材１に、軽量化のための孔４が形成されていてもよい。また、図５（Ｂ）に示すように、本発明の第２の実施形態例（図２参照）及び第４の実施形態例（図４参照）に用いられる板部材１に、軽量化のための孔４が形成されていてもよい。
【００４１】
この孔４の数については、多くても少なくてもよく、その形状については、円形、楕円形、三角形、四角形、星形等どのような形状でもよい。
【００４２】
孔４の大きさについては、大きくても小さくてもよいが、あまり大きいと、眼鏡のレンズに傷が付いてしまう可能性があるので、傷が付かない程度の大きさに形成されている必要がある。
【００４３】
孔４の位置は適宜間隔を隔てて形成されており、孔４の大きさは、互いに同じ大きさである必要はなく、異なる大きさに形成してもよい。
【００４４】
さらに、図５（Ｃ）に示すように、本発明の第１の実施形態例（図１参照）及び第３の実施形態例（図３参照）に用いられる板部材１に、軽量化のために、キャラクタ、図柄、模様等に合った切抜き部を形成してもよい。また、図５（Ｄ）に示すように、本発明の第２の実施形態例（図２参照）及び第４の実施形態例（図４参照）に用いられる板部材１に、軽量化のために、キャラクタ、図柄、模様等に合った切抜き部を形成してもよい。
【００４５】
図５（Ｃ）及び（Ｄ）の例では、キャラクタの耳の内側、目、鼻、口、髭の各部分に切抜き部５ａ、図柄の中心部分に切抜き部５ｂが形成されているが、これに限定されるものではない。
【００４６】
この切抜き部５ａ、５ｂの数、大きさ、位置、形状等については、眼鏡のレンズに傷が付かないように形成されている必要がある。
【００４７】
なお、孔４や切抜き部５ａ、５ｂは、板部材１の表面と裏面を貫通するものであるが、軽量化のための凹状の溝に替えて形成してもよい。
【産業上の利用可能性】
【００４８】
本発明のカメラ用装着カバーは、使い捨てカメラ、デジタルカメラ、コンパクトカメラ等のカメラに装着され、眼鏡を掛けているユーザが、カメラのファインダを覗く際に、眼鏡のレンズに傷が付くのを防止するために用いられる。
【図面の簡単な説明】
【００４９】
【図１】（Ａ）は本発明の第１の実施形態例に係るカメラ用装着カバーを示す表面図（カメラに装着された状態）、（Ｂ）はその裏面図（カメラに装着されていない状態）、（Ｃ）はその側面図（カメラに装着されていない状態）、（Ｄ）は、その斜視図（カメラに装着されている状態）である。
【図２】（Ａ）は本発明の第２の実施形態例に係るカメラ用装着カバーを示す表面図（カメラに装着された状態）、（Ｂ）はその裏面図（カメラに装着されていない状態）、（Ｃ）はその側面図（カメラに装着されていない状態）である。
【図３】（Ａ）は本発明の第３の実施形態例に係るカメラ用装着カバー（カメラに装着された状態）を示す表面図、（Ｂ）はその裏面図（カメラに装着されていない状態）である。
【図４】（Ａ）は本発明の第４の実施形態例に係るカメラ用装着カバー（カメラに装着された状態）を示す表面図、（Ｂ）はその裏面図（カメラに装着されていない状態）である。
【図５】（Ａ）〜（Ｄ）は、板部材の他の例を示す表面図である。
【図６】（Ａ）は、カメラ（使い捨てカメラ）を概略的に示す斜視図、（Ｂ）はその背面図である。
【符号の説明】
【００５０】
Ａ〜Ｄ：カメラ用装着カバー
１：板部材
１ａ：切欠部
１ｂ：レンズ当接部
１ｃ：切欠
２：バンド
３：接着部
４：孔
５ａ、５ｂ：切抜き部
【図１】
2007078935.tif 000003
【図２】
2007078935.tif 000004
【図３】
2007078935.tif 000005
【図４】
2007078935.tif 000006
【図５】
2007078935.tif 000007
【図６】
2007078935.tif 000008